(57)【特許請求の範囲】
【請求項１】
天板部を廂状に設けた背板部の基端をベース板部上に一体化して仏壇本体を形成し、同仏壇本体該天板部前方左右角と、それらの直下に対応するベース板部との間に垂下した軸心回りに開閉自在とした左右一対で、全体が透明な合成樹脂製の観音扉を枢着し、ベース板部上面と天板部下面との間であって、背板部前面から閉鎖状態左右観音扉間の収容空間の、背板部寄りに額縁装着用空間を確保すると共に、該収容空間内の額縁装着用空間より前方であって閉鎖状としたときの左右観音扉直後となる同収容空間内左右両がわ夫々に献花筒を立設し、当該収容空間左右端の少なくとも何れか一方端に側蓋付きとした額縁用の装着口を開口すると共に、同収容空間の額縁装着用空間上下端に対峙するベース板部上部と天板部下部との夫々に、額縁体の上下縁を左右巾方向にスライド自在に案内可能な上下案内溝を形成し、該装着口に望む上下案内溝を通じて当該額縁装着用空間内に、複数枚の遺影写真類を前後に重ねた状態に収納、前後入れ替え自在とし、且つ吊フックおよび／またはスタンド機構を組み込んでなり、仏壇本体から取り出して単独で利用可能となるようにした額縁体を着脱自在に装着し、左右観音扉を閉鎖した状態であっても、額縁装着用空間内に収納した額縁体の最前面配置の１枚の写真類全体を透視可能にしてなるものとしたことを特徴とする小型仏壇。
【請求項２】
天板部を廂状に設けた背板部の基端をベース板部上に一体化して仏壇本体を形成し、同仏壇本体該天板部前方左右角と、それらの直下に対応するベース板部との間に垂下した軸心回りに開閉自在とした左右一対で、全体が透明な合成樹脂製の観音扉を枢着し、ベース板部上面と天板部下面との間であって、背板部前面から閉鎖状態左右観音扉間の収容空間の、背板部寄りに額縁装着用空間を確保すると共に、該収容空間内の額縁装着用空間より前方であって閉鎖状としたときの左右観音扉直後となる同収容空間内左右両がわ夫々に献花筒を立設し、当該収容空間左右端の少なくとも何れか一方端に側蓋付きとした額縁用の装着口を開口すると共に、同収容空間の額縁装着用空間上下端に対峙するベース板部上部と天板部下部との夫々に、額縁体の上下縁を左右巾方向にスライド自在に案内可能な上下案内溝を形成し、該装着口に望む上下案内溝を通じて当該額縁装着用空間内に、複数枚の遺影写真類を前後に重ねた状態に収納、前後入れ替え自在とし、且つ吊フックおよび／またはスタンド機構を組み込んでなり、仏壇本体から取り出して単独で利用可能となるようにした額縁体を着脱自在に装着し、左右観音扉を閉鎖した状態であっても、額縁装着用空間内に収納した額縁体の最前面配置の１枚の写真類全体を透視可能にした上、複数枚の遺影写真類を一まとめにし、小型・軽量化して狭いスペースに設置し、一括礼拝可能なものとしたことを特徴とする小型仏壇。
【請求項３】
仏壇本体収容空間の額縁装着用空間以外となる天板部および／またはベース板部の前方寄り適所に、１個または複数個の小型照明具を設けると共に、仏壇本体外がわ適所に各小型照明具用の電力供給源および点灯・消灯用操作スイッチを添設してなるものとした、請求項１または２何れか一項記載の小型仏壇。                                                
【発明の詳細な説明】
【技術分野】
【０００１】
この発明は、写真、絵画、書画類用の額縁および仏壇や祭壇などに関連するものであり、特に複数枚の遺影などを重ねて小型の額縁に収容可能とした小型の仏壇を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                        
【背景技術】
【０００２】
（着目点）
これまで各家庭の先祖の遺影は、身近な故人の遺影を仏壇の中に飾り、仏壇に入りきらない先祖代々の遺影は、仏壇を囲むように１人１人の故人毎に充分な大きさの額縁に入れて壁に並べて掲げるよう飾るのが一般的な供養法であったが、近年では、核家族化や少子高齢化などへと、家族構成が大きく変化しているのに伴い、住宅事情も効率的な部屋割に変化して、従前までは一般的なサイズとされてきた仏壇を設置できるスペースを確保するのが極めて困難な状況となっており、一般的なワンルームマンションやアパートのリビングなどにも邪魔にならないよう設置できる程度まで、充分にコンパクト化された仏壇へのニーズが高まってきている。
【０００３】
（従来の技術）
（従来の技術）
こうした状況を反映し、その打開策となるような提案もこれまでに散見されない訳ではない。
例えば、下記の特許文献１（１）に提案されているものに代表されるように、仏壇の下半分をなす壇座に上半分をなす宮殿上蓋を折畳みできるように接合し、垂直に立てて支持できるようにして該宮殿上蓋を折畳み、半分程度の高さにコンパクト化して片手で持ち運び可能としたものや、同特許文献１（２）に見られるような、左右の扉を開くと仏壇になり、閉じると正面に額縁が現れるようにしてなるもの、また、同特許文献１（３）のような、筐体の内面に鏡面効果を持たせることで内部に視覚的広がりを与えると共に、内部の装飾品を多方面に映し出して装飾品や仏具の数を削減し、全体を低コスト化できるようにしたもの、または、同特許文献１（４）に代表されるような、携帯可能な大きさの縦型ケースで正面に両開き扉を有し、位牌を安置するよう内蔵可能としてなるものなどが散見される。
【０００４】
しかし、前者特許文献１（１）および（２）に示されているような小型の仏壇は、従来型の仏壇よりは幾分狭いスペースに設置可能であるが、やはり充分な広さの設置場所を慎重に選ぶ必要があり、気軽に設置場所を変えたり、携帯することができないという致命的な欠点があり、特許文献１（３）のように、鏡面壁による内装を施してなるものは、装飾品を削減する効果を得ることができるものの、故人の遺影を飾るための構成を備えておらず、従来型の仏壇と同様、別に額縁を準備する必要があるという欠点があり、また、特許文献１（４）に代表するような携帯用のケースを有する位牌なども、位牌を納めると内部スペースに余裕がなく、遺影を装着することができないという致命的な欠点があった。              
【特許文献１】（１）特開２０００−７０１１２号公報    （２）特開２００２−２４８０４９号公報    （３）特開２００４−１６００５６号公報    （４）実開平６−７７６６２号公報
【発明の開示】
【発明が解決しようとする課題】
【０００５】
（問題意識）
上述したとおり、従前までに提案のある各種小型の仏壇類などは、何れも、複数人の遺影を一まとめにして収容することができず、従来型の仏壇と同様、仏壇内に収容できない遺影は、別に額縁を準備して仏壇の周辺に飾らなければならないという欠点を残すものであり、自らも、コンパクトな仏壇に複数枚の遺影を一まとめに納めて供養できる手立てを、永年に亘って模索してきる中で、これまでに得られた様々な知見、および他方面からの情報などに基づき、仏壇への額縁の収納性は勿論のこと、製造工程上からも、その取扱い性と設置場所の省スペース化を達成可能とするための構成につき、更なる改善の可能性を痛感するに至ったものである。
【０００６】
（発明の目的）
そこで、この発明は、仏壇の格段のコンパクト化を達成すると共に、複数枚の遺影を一まとめに収納することが可能である上、格段に軽量化して高い携帯性を確保できるようにしてなる新たな仏壇の小型化技術の開発はできないものかとの判断から、逸速くその開発、研究に着手し、長期に渡る試行錯誤と幾多の試作、実験とを繰り返してきた結果、今回、遂に新規な構造の小型仏壇を実現化することに成功したものであり、以下では、図面に示すこの発明を代表する実施例と共に、その構成を詳述することとする。                                                                          
【課題を解決するための手段】
【０００７】
（発明の構成）
図面に示すこの発明を代表する実施例からも明確に理解されるように、この発明の小型仏壇は、基本的に次のような構成から成り立っている。
即ち、天板部を廂状に設けた背板部の基端をベース板部上に一体化して仏壇本体を形成し、同仏壇本体該天板部前方左右角と、それらの直下に対応するベース板部との間に垂下した軸心回りに開閉自在とした左右一対で、全体が透明な合成樹脂製の観音扉を枢着し、ベース板部上面と天板部下面との間であって、背板部前面から閉鎖状態左右観音扉間の収容空間の、背板部寄りに額縁装着用空間を確保すると共に、該収容空間内の額縁装着用空間より前方であって閉鎖状としたときの左右観音扉直後となる同収容空間内左右両がわ夫々に献花筒を立設し、当該収容空間左右端の少なくとも何れか一方端に側蓋付きとした額縁用の装着口を開口すると共に、同収容空間の額縁装着用空間上下端に対峙するベース板部上部と天板部下部との夫々に、額縁体の上下縁を左右巾方向にスライド自在に案内可能な上下案内溝を形成し、該装着口に望む上下案内溝を通じて当該額縁装着用空間内に、複数枚の遺影などの写真類を前後に重ねた状態に収納、前後入れ替え自在とし、且つ吊フックおよび／またはスタンド機構を組み込んでなり、仏壇本体から取り出して単独で利用可能となるようにした額縁体を着脱自在に装着し、左右観音扉を閉鎖した状態であっても、額縁装着用空間内に収納した額縁体の最前面配置の遺影などの１枚の写真類全体を透視可能にしてなるものとした構成を要旨とする小型仏壇である。                                                            
【０００８】
この基本的な構成からなる小型仏壇は、その表現を変えて示すならば、天板部を廂状に設けた背板部の基端をベース板部上に一体化して仏壇本体を形成し、同仏壇本体該天板部前方左右角と、それらの直下に対応するベース板部との間に垂下した軸心回りに開閉自在とした左右一対で、全体が透明な合成樹脂製の観音扉を枢着し、ベース板部上面と天板部下面との間であって、背板部前面から閉鎖状態左右観音扉間の収容空間の、背板部寄りに額縁装着用空間を確保すると共に、該収容空間内の額縁装着用空間より前方であって閉鎖状としたときの左右観音扉直後となる同収容空間内左右両がわ夫々に献花筒を立設し、当該収容空間左右端の少なくとも何れか一方端に側蓋付きとした額縁用の装着口を開口すると共に、同収容空間の額縁装着用空間上下端に対峙するベース板部上部と天板部下部との夫々に、額縁体の上下縁を左右巾方向にスライド自在に案内可能な上下案内溝を形成し、該装着口に望む上下案内溝を通じて当該額縁装着用空間内に、複数枚の遺影などの写真類を前後に重ねた状態に収納、前後入れ替え自在とし、且つ吊フックおよび／またはスタンド機構を組み込んでなり、仏壇本体から取り出して単独で利用可能となるようにした額縁体を着脱自在に装着し、左右観音扉を閉鎖した状態であっても、額縁装着用空間内に収納した額縁体の最前面配置の遺影などの１枚の写真類全体を透視可能にした上、複数枚の遺影などの写真類を一まとめにし、小型・軽量化して狭いスペースに設置し、一括礼拝可能なものとした構成からなる小型仏壇となる。                                                                    
【発明の効果】
【０００９】
以上のとおり、この発明の小型仏壇によれば、従前までのものとは違い、上記したとおりの固有の特徴ある構成から、仏壇を設置するための専用のスペースを特に設けなくとも、家具の上や卓上などの狭い空間にも充分に置くことができる上、軽量、コンパクトで持ち運びが容易であり、しかも仏壇本体内に着脱自在に装着可能とした額縁体が、複数枚の遺影などの写真類を前後に重ねた状態に収納、前後入れ替え自在とするようにしてあるから、従来までのように１人毎に１枚の額縁を必要とせず、該額縁体に納めた複数枚の遺影も一緒に祈ることが可能となり、従来の仏壇では実現できなかった、重ね合わせた遺影を一度に巡拝するという拝礼法を実現化できるものになるという秀れた特徴が得られるものである。
【００１０】
加えて、仏壇本体の収容空間内に区画された額縁装着用空間の上下端に対峙するベース板部上部と天板部下部との夫々に、額縁体の上下縁を左右巾方向にスライド自在に案内可能な上下案内溝を形成してなるものは、収納した額縁体の前方向への倒れを確実に阻止して、額縁体を一段と安定に収納、保持するものとなり、さらにまた、仏壇本体に設けた左右一対の観音扉が、小型ながらも仏壇の形体を表現し、荘厳な雰囲気を醸し出すものとなり、複数枚の遺影などの写真類を納めた額縁体を埃の付着や、運搬、携帯中の傷付きなどから保護するものとなる外、特に、観音扉を透明な素材製としたものは、観音扉を閉じた状態であっても、内部に収納した額縁体内の遺影などの写真類を外部から見ることができ、そのまま拝礼することも可能になるという秀れた効果を奏するものとなる。
【００１１】
また、仏壇本体収容空間の適所に小型照明具を設けるようにしたものは、蝋燭などを利用せず、収容した遺影などの写真類を安全に照明することができるから、時間や場所を選ばずに拝礼したり、細部まで鑑賞したりすることができるという効果を発揮するものとなり、さらに、額縁体に吊フックおよび／またはスタンド機構を組み込んでなるものは、仏壇本体から取り出して単独の写真立てや壁掛け用の額縁などとして巾広く利用可能なものとなる。                                                                                                                            
【発明を実施するための最良の形態】
【００１２】
上記したとおりの構成からなるこの発明の実施に際し、その最良もしくは望ましい形態について説明を加えることにする。
仏壇本体は、前面に観音扉を開閉自在に配置可能とすると共に、収容空間、および同収容空間内に額縁体装着用の額縁装着用空間を確保可能とし、仏壇型の外観を呈し、埃の付着や破損などから額縁体、ならびに同額縁体内に収納した複数枚の遺影などの写真類を保護すると共に拝礼可能とする機能を担うものであり、充分な強度を有し、テーブルやその他の家具類の上などに簡単に設置したり、持ち運んだりできる程度の重量、形状および寸法に設定し、該収容空間内の額縁装着用空間より前方であって閉鎖状としたときの左右観音扉直後となる同収容空間内左右両がわ夫々に献花筒を立設したものとしなければならず、後述する実施例に示すように、合成樹脂製のものとすることができ、収容空間の額縁装着用空間上下端に対峙するベース板部上部と天板部下部との夫々に、額縁体の上下縁を左右巾方向にスライド自在に案内可能な上下案内溝を形成してなるものとするのが望ましい。
【００１３】
仏壇本体のベース板部は、仏壇本体を安定に設置可能とするに充分な設置面積を確保すると共に、天板部を廂状に設けた背板部を充分な強度で支持可能とする機能を担い、天板部前方左右角と、それらの直下に対応するベース板部との間に垂下した軸心回りに開閉自在とした左右一対の観音扉を枢着可能とし、且つ、該収容空間内の額縁装着用空間より前方であって、閉鎖状としたときの左右観音扉直後となる同収容空間内左右両がわ夫々に献花筒を立設したのとしなければならない。
【００１４】
仏壇本体の背板部は、収容空間、額縁装着用空間の背面がわで、同額縁装着用空間に装着した額縁体の背面を保持および保護可能とする上、天板部をベース板部に連結、支持する機能を担うものであり、充分な強度を有するものとしなければならず、天板部は、額縁装着用空間を含む収容空間の天面がわを保持および保護可能とすると共に、左右一対の観音扉の上端がわを枢着、支持可能とする機能を担い、充分な強度で背板部に一体化し、左右各観音扉を開閉自在に支持可能なものとしなければならない。
【００１５】
観音扉は、収容空間、額縁装着用空間の前面を開閉自在に閉鎖可能とし、当該小型仏壇内部への埃の浸入や、額縁装着用空間に装着した額縁体や、献花筒に飾った造花などへの傷付きなどを防止するよう閉鎖可能とする機能を担うものであって、天板部前方左右角と、それらの直下に対応するベース板部との間に垂下した棒状軸体に装着したものとすることが出来る外、各枢着端がわの上下端面に軸着凹部か、または軸着凸部かの何れか一方を形成し、対応する天板部前方左右角とベース板部との双方に、夫々に嵌合する軸着凹部か、または軸着凸部かの何れか他方を形成して開閉自在に嵌合枢着してなるものとすることができ、また左右各観音扉遊端がわの適所間には、閉鎖状態で互いにロック可能な施錠機構を組み込むことも可能であり、左右各観音扉の一部または全部を透明なガラス製や合成樹脂製のものとすることなども採用できる。
【００１６】
収容空間は、当該小型仏壇内部に額縁体や献花筒などを収納可能とする機能を担い、ベース板部上面と天板部下面との間であって、背板部前面から閉鎖状態左右観音扉間に形成した空間とし、背板部寄りに額縁装着用空間を確保すると共に、該収容空間内の額縁装着用空間より前方であって閉鎖状としたときの左右観音扉直後となる同収容空間内左右両がわ夫々に、献花筒を立設可能な空間を確保してなるものとしなければならず、各献花筒には、収容空間内に収まる寸法、形状とした様々な造花を飾ることができる外、オアシスやジェルを用いて生花を飾ることも可能とする。
【００１７】
また、仏壇本体の収容空間左右端の少なくとも何れか一方端に、額縁用の装着口を開口したものとしなければならず、各装着口には、開閉蓋を設けるようにしたものとするのがの望ましく、脱着型の蓋を設けるようにしたものとする外、後述する実施例に示すように、枢着して開閉自在なものとすることができ、さらにまた、収容空間の額縁装着用空間以外となる天板部および／またはベース板部の前方寄り適所に、１個または複数個の電球やＬＥＤ（発光ダイオード）などの小型照明具を設けると共に、仏壇本体外がわ適所に各小型照明具用のバッテリーやコンセント用差込プラグなどの電力供給源および点灯・消灯用操作スイッチを添設してなるものとすることが可能であり、さらにまた、観音扉の開放を検知するリミットスイッチや光センサーなどを設け、観音扉の開放に伴って自動的に照明し、閉鎖と共に消灯するよう自動点灯、自動消灯制御されるようにしたものとすることもできる。
【００１８】
額縁体は、該仏壇本体の装着口を通じて当該額縁装着用空間内に装着可能であって、複数枚の遺影などの写真類を前後に重ねた状態に収納、前後入れ替え自在とするよう収容して保護可能であると共に、小型仏壇の前面に最前に配置する１枚の遺影などの写真類を見えるよう露出可能とする機能を担うものであり、充分な厚み寸法を有して複数枚の遺影などの写真類を前後に重ねた状態に収納、前後入れ替え可能なものとしなければならず、前後上下左右の６面の中、少なくとも何れか一面に、複数枚の遺影などの写真類を重ねて挿入、取出し可能な挿入口を形成したものとしなければならず、各挿入口には額蓋を設けることができ、後述する実施例に示してあるように、マット台紙を有するものとしたり、少なくとも前面を透明ガラス板や透明合成樹脂板で覆う薄い箱型（例えば６面体）に形成したものとすることができ、当該額縁装着用空間の上下端に対峙する天板部およびベース板部の夫々に、上下案内溝を形成してなるものの場合には、該額縁体上下端縁を各上下案内溝夫々に、摺動自在に嵌合可能な形状のものとしなければならず、さらにまた、吊フックおよび／またはスタンド機構を適所に組み込み、仏壇本体から取り出して単独で写真立てや壁掛け用額縁などとして利用可能なものとすることができる。
以下では、図面に示すこの発明を代表する幾つかの実施例と共に、その構造について詳述することとする。                                                                            
【実施例１】
【００１９】
図１の観音扉を開いた小型仏壇の斜視図、図２の小型仏壇の正面図、図３の小型仏壇の側面図、図４の小型仏壇の平面図、図５の観音扉を閉じた小型仏壇の斜視図、図６の額縁体を装着する小型仏壇の斜視図、図７の複数枚の遺影を収容する額縁体の斜視図、図８の額縁体を装脱する小型仏壇の斜視図、図９の小型照明具を装備した小型仏壇の斜視図、および、図１０の装飾性を高めた小型仏壇の斜視図に示す事例は、天板部２０を設けた背板部２１をベース板部２２上に一体化して仏壇本体２を形成し、同仏壇本体２該天板部２０前方左右角下に左右一対の観音扉３，３を枢着し、ベース板部２２、天板部２０、背板部２１および閉鎖状態左右観音扉３，３が形成する収容空間４の背板部２１寄りに額縁装着用空間４０を確保し、該額縁装着用空間４０と閉鎖状態左右観音扉３，３との間の収容空間４に左右の献花筒５，５を立設し、同収容空間４の側部に額縁用の装着口６，６を開口し、該装着口６，６を通じて当該額縁装着用空間４０内に、複数枚の遺影などの写真類９，９，……を前後に重ねた状態に収納、前後入れ替え自在とするようにした額縁体７を着脱自在に装着してなるものとした、この発明の小型仏壇における代表的な一実施例を示すものである。
【００２０】
それら各図からも明確に把握できるとおり、この発明の小型仏壇１は、その仏壇本体２が、正面形が正方形状の背板部２１の上端に、該背板部２１の左右巾と同じ左右巾に設定し、平面形を左右に長い長方形状とした天板部２０を水平な廂状配置とするよう一体化し、当該背板部２１の基端を、平面形が長方形状で、該天板部２０よりも一回り大きな面積としてあるベース板部２２の、後端左右巾中央位置に一体化してなり、当該仏壇本体２は、その全体がアクリルやポリカーボネートなどの合成樹脂成形品であるが、木製、金属製、ガラス製など様々な素材製のものに置き換え可能である。
【００２１】
図１に示すように、同仏壇本体２の天板部２０前方左右角と、それらの直下に対応するベース板部２２との間夫々に、図示しない軸受け穴を開口し、左右の上下軸受け穴間の夫々に、左右一対の観音扉３，３の基端上下端に突設した図示しない凸軸部を開閉自在に嵌合してたり、それら左右一対の観音扉３，３は、無色透明なアクリルやポリカーボネートなどの合成樹脂成形品であるが、有色透明または有色不透明、磨りガラス調など様々な素材製のものとすることが可能であり、木製、金属製、ガラス製など様々な素材製のものに置き換えることもできる。
【００２２】
図１に示すように、ベース板部２２上面と天板部２０下面との間であって、背板部２１前面から閉鎖状態にある左右観音扉３，３間の収容空間４の、背板部２１寄りとなる範囲に額縁装着用空間４０を確保するようにしたものとし、該額縁装着用空間４０の上下端に対応するベース板部２２上面に下案内溝２４、天板部２０下面に上案内溝２４を夫々形成した上、該収容空間４内の額縁装着用空間４０より前方であって閉鎖状としたときの左右観音扉３，３直後となる同収容空間４内左右両がわ夫々に献花筒５，５を立設し、造花５０，５０を着脱自在に装着したものとする。
【００２３】
図６および図７に示すように、収容空間４の左右端夫々に、額縁体７用の装着口６，６を開口し、各装着口６，６の前端に対応する左右各観音扉３，３の基端がわ夫々に左右側蓋６０，６０を枢着し、各側蓋６０，６０が、各装着口６，６を開閉自在に閉鎖可能なものとしてあり、それら装着口６，６の中、適宜選択した何れか一方を通じて当該額縁装着用空間４０内に、額縁体７を着脱自在に装着可能なものとし、図７に示すように、当該額縁体７は、マット台紙７３と共に、複数枚の遺影などの写真類９，９，……を前後に重ねた状態に収納、前後入れ替え自在とするよう収納可能な内部寸法に設定した薄型矩形状にの枠体７０からなり、同枠体７０上端に、写真類９，９，……およびマット台紙７３用の挿入口７１、および、それを開閉自在に閉鎖可能な額蓋７２を設けたものとし、必要に応じて、背面がわの適所などに、仏壇本体２から取り出して単独利用可能とするよう、吊フックおよび／またはスタンド機構（双方とも図示していない）を組み込んでなるものとすることができ、また、当該マット台紙７３は、色や質感を換えたり、図示しない花飾りなどの装飾を別途装着して一段と華やかさを加えたものとすることも可能である。
【００２４】
図３、図４および図９に示すように、仏壇本体２収容空間４の正面左がわ上方隅の、額縁装着用空間４０前方となる天板部２０直下付近に、ＬＥＤ（発光ダイオード）製の１個の小型照明具８を設け、同仏壇本体２背板部２１の外壁面下角がわ適所に該小型照明具８用の電力供給源８０および点灯・消灯用操作スイッチ８１を添設してなるものとすることができ、さらにまた、図１０に示すように、天板部２０やベース板部２２の寸法、形状に変更を加えて、より重厚感のある小型仏壇１とすることができる外、左右各観音扉３，３や側蓋６０，６０に図示しない彫刻や透かし彫り、エッチング加工、鍍金、塗装その他の装飾を施したものとしたり、引き出しなどの収納部を設けたものなどとすることも可能である。
【００２５】
（実施例１の作用・効果）
以上のとおりの構成からなるこの発明の小型仏壇１は、図６に示すように、仏壇本体２の左右何れか任意に選択した一方の側蓋６０を開放し、額縁体７の上下端縁を夫々上下案内溝２３，２４に嵌合するよう、同図６中の実線矢印に示す方向に、スライドさせて収容空間４の額縁装着用空間４０内に装着、および外部に取り出すことが可能であり、額縁装着用空間４０内に額縁体７を装着した後に、側蓋６０を閉鎖して収納操作を完了し、額縁体７を埃や損傷から保護すると共に、卓上などの狭いスペースに気軽に設置して、いつでも左右一対の観音扉３，３を開き、祭壇として拝礼などに利用できるものとなる。
【００２６】
図７に示すように、額縁体７は、その枠体７０内に、複数枚の遺影などの写真類９，９，……を前後に重ねた状態で、しかも前後入れ替え自在とするよう、マット台紙７３と共に額内の配置や装飾性を考慮して収納し、額蓋７２で施蓋することで組み立てを完了して、図５、図６および図８に示してあるように、仏壇本体２の額縁装着用空間４０に装着すると、一度に複数枚の遺影９，９，……を拝礼することができるものとなり、最前配置で露出する１枚の遺影９を簡単に入れ替えることができ、さらに、図１に示すとおり、左右の献花筒５，５に造花５０，５０を装着可能であり、それら造花５０，５０は、故人の好きだった花や、季節毎や記念日毎などに応じて他の造花５０，５０、または生花などに簡便に変更することができる。
【００２７】
図５に示すように、左右一対の観音扉３，３を透明な素材製としてなるものは、各観音扉３，３を閉じたままであっても、収納されている額縁体７の遺影９を見ることができる上に拝礼も可能になるという、従来型の仏壇では全く得ることのできない効果を得ることができ、また、図３、図４および図９に示すように、小型照明具８を有するものは、仏壇本体２の背板部２１に設けた点灯・消灯用操作スイッチ８１を操作すると、図９中に二点鎖線で示すとおり、収容空間４内の特に、額縁体７の遺影などの写真類９を明るく照らすことができ、暗い場所や夜間であっても遺影９を細部まで確認し、礼拝可能なものとすることが可能となる。
【００２８】
図１０に示すように、装飾性を高めた小型仏壇１は、商品展開を増やし、巾広い顧客ニーズに応えると共に外観を高め、高級感を得るということに留まらず、仏壇としての質感を高めて神仏を拝礼する心や、故人などを偲ぶ思いなどを、より一層充実したものとすることができる上、従来サイズの仏壇からの移行に躊躇する気持ちを和らげて、当該小型仏壇１の普及を格段に促進可能とするものになるという秀れた効果を得ることができるものとなる。
【００２９】
（結  び）
叙述の如く、この発明の小型仏壇は、その新規な構成によって所期の目的を遍く達成可能とするものであり、しかも製造も容易で、従前からの仏壇に比較して格段に小型・軽量化することができ、遙かに経済的なものとして提供することができる上、複数枚の遺影を一まとめに収納することを可能とし、高い携帯性を確保できるようになり、核家族化や１人暮らしの増加などに伴う住宅の縮小化にも充分に対応できるものとなるから、設置場所を選ばず、持ち運び容易な仏壇の提供を希望する一般家庭はもとより、こうした顧客ニーズの変化に応えようとする仏壇仏具業界や、写真、フィルム業界および額縁業界においても高く評価され、広範に渡って利用、普及していくものになると予想される。                
【図面の簡単な説明】
【００３０】
図面は、この発明の小型仏壇の技術的思想を具現化した代表的な幾つかの実施例を示すものである。
【図１】観音扉を開いた小型仏壇を示す斜視図である。
【図２】小型仏壇を示す正面図である。
【図３】小型仏壇を示す側面図である。
【図４】小型仏壇を示す平面図である。
【図５】観音扉を閉じた小型仏壇を示す斜視図である。
【図６】額縁体を装着する小型仏壇を示す斜視図である。
【図７】複数枚の遺影を収容する額縁体を示す斜視図である。
【図８】額縁体を装脱する小型仏壇を示す斜視図である。
【図９】小型照明具を装備した小型仏壇を示す斜視図である。
【図１０】装飾性を高めた小型仏壇を示す斜視図である。
【符号の説明】
【００３１】
１      小型仏壇
２      仏壇本体
２０    同  天板部
２１    同  背板部
２２    同  ベース板部
２３    同  上案内溝
２４    同  下案内溝
３      観音扉
４      収容空間
４０    同  額縁装着用空間
５      献花筒
５０    同  造花
６      装着口
６０    同  側蓋
７      額縁体
７０    同  枠体
７１    同  挿入口
７２    同  額蓋
７３    同  マット台紙
８      小型照明具
８０    同  電力供給源
８１    同  点灯・消灯用操作スイッチ
９      遺影などの写真類
【図１】
0005329507.tif 000002
【図２】
0005329507.tif 000003
【図３】
0005329507.tif 000004
【図４】
0005329507.tif 000005
【図５】
0005329507.tif 000006
【図６】
0005329507.tif 000007
【図７】
0005329507.tif 000008
【図８】
0005329507.tif 000009
【図９】
0005329507.tif 000010
【図１０】
0005329507.tif 000011